(57)【要約】【課題】物品の属性の判別精度の向上を図れる物品取扱装置および物品取扱方法を提供する。【解決手段】物品取扱装置１は、有価物４２と有価物４２を収容する収容体４１とを有する物品４０を取り扱う。物品取扱装置１は、物品４０の有価物４２に付された第１識別情報を読み取る読取センサ５２と、当該物品４０の収容体４１に付された第２識別情報を読み取るＩＣリーダライタ５７と、読取センサ５２およびＩＣリーダライタ５７による読取結果に基づいて、当該物品４０の属性を判別する制御部１５とを含む。【選択図】図５
2017099533.tif 000002
【特許請求の範囲】
【請求項１】
有価物と前記有価物を収容する収容体とを有する物品を取り扱う物品取扱装置であって、
物品の前記有価物に付された第１識別情報を読み取る第１読取手段と、
当該物品の前記収容体に付された第２識別情報を読み取る第２読取手段と、
前記第１読取手段および前記第２読取手段による読取結果に基づいて、当該物品の属性を判別する判別手段とを含む、物品取扱装置。
【請求項２】
前記第１読取手段が物品から読み取った前記第１識別情報から得られる当該物品の種類情報と、前記第２読取手段が当該物品から読み取った前記第２識別情報から得られる当該物品の種類情報とが対応するものである場合に、前記判別手段は、当該物品の正当性を肯定判別する、請求項１に記載の物品取扱装置。
【請求項３】
前記第１識別情報と前記第２識別情報は、異なる形式で読み取られる情報である、請求項１または２に記載の物品取扱装置。
【請求項４】
前記第１識別情報は、光学的に読み取り可能な情報である、請求項１〜３のいずれか一項に記載の物品取扱装置。
【請求項５】
前記第２識別情報は、電子的に読み取り可能な情報である、請求項１〜４のいずれか一項に記載の物品取扱装置。
【請求項６】
前記物品を搬送する搬送手段をさらに備え、
前記第１読取手段および前記第２読取手段は、前記搬送手段により搬送される物品の識別情報を読み取るものであり、
前記搬送手段は、前記判別手段により判別された物品の属性により当該物品の搬送先を異ならせるように構成される、請求項１〜５のいずれか一項に記載の物品取扱装置。
【請求項７】
有価物と前記有価物を収容する収容体とを有する物品から、前記有価物に付された第１識別情報を読み取る第１読取ステップと、
当該物品から、前記収容体に付された第２識別情報を読み取る第２読取ステップと、
前記第１読取ステップおよび前記第２読取ステップでの読取結果に基づいて、当該物品の属性を判別する判別ステップとを含む、物品取扱方法。
【発明の詳細な説明】
【技術分野】
【０００１】
この発明は、物品取扱装置および物品取扱方法に関する。
【背景技術】
【０００２】
下記特許文献１では、パチンコ店等の遊技施設で遊技客に払い出された景品を交換する景品交換所に設置された景品読取機が開示されている。景品には、金種に応じた複数の種類が存在する。景品は、樹脂製のカードである本体と、本体に埋め込まれた有価物およびＩＣタグと、本体の表面に貼り付けられたホログラムとを含む。有価物は、貴金属のチップである。ＩＣタグには、景品の金種に関する情報や、個々の景品に割り当てられた識別情報等が記憶されている。
【０００３】
景品交換所の係員は、遊技客から受け取った景品を景品読取機のセット部に積層状態でセットして、景品読取機の開始スイッチを押下する。すると、景品読取機では、無端状のベルトが周回移動し、セット部における最下位の景品は、ベルトの突起に引っ掛けられることで繰り出され、搬送路を搬送される。搬送路で搬送されている途中の景品は、識別部による識別を受ける。識別の結果、景品からホログラムを読み取ることができ、ＩＣタグから金種の情報を読み取ることができると、この景品は、本物であると判別され、収納庫における下側収納エリアへ収納される。一方、ホログラムを読み取ることができなかった景品や、ＩＣタグから金種の情報を読み取ることができなかった景品は、偽物と判別され、収納庫における上側収納エリアへ収納される。
【先行技術文献】
【特許文献】
【０００４】
【特許文献１】特開２０１５−３９４２５号公報
【発明の概要】
【発明が解決しようとする課題】
【０００５】
特許文献１の景品読取機では、景品の本体に設けられたＩＣタグやホログラムに基づいて景品の真偽が判別されるため、厳密には、景品の実質的な中身である有価物の真偽は判別されない。そのため、有価物が入れ替えられることによって偽造された景品が、誤って本物と判別されてしまう虞がある。そこで、景品等の物品において、その真偽等の属性を正確に判別できることが望まれる。
【０００６】
この発明は、かかる背景のもとでなされたもので、物品の属性の判別精度の向上を図れる物品取扱装置および物品取扱方法を提供することを目的とする。
【課題を解決するための手段】
【０００７】
本発明は、有価物と前記有価物を収容する収容体とを有する物品を取り扱う物品取扱装置であって、物品の前記有価物に付された第１識別情報を読み取る第１読取手段と、当該物品の前記収容体に付された第２識別情報を読み取る第２読取手段と、前記第１読取手段および前記第２読取手段による読取結果に基づいて、当該物品の属性を判別する判別手段とを含む、物品取扱装置である。
【０００８】
また、本発明は、前記第１読取手段が物品から読み取った前記第１識別情報から得られる当該物品の種類情報と、前記第２読取手段が当該物品から読み取った前記第２識別情報から得られる当該物品の種類情報とが対応するものである場合に、前記判別手段は、当該物品の正当性を肯定判別することを特徴とする。
【０００９】
また、本発明は、前記第１識別情報と前記第２識別情報は、異なる形式で読み取られる情報であることを特徴とする。
【００１０】
また、本発明は、前記第１識別情報は、光学的に読み取り可能な情報であることを特徴とする。
【００１１】
また、本発明は、前記第２識別情報は、電子的に読み取り可能な情報であることを特徴とする。
【００１２】
また、本発明は、前記物品を搬送する搬送手段をさらに備え、前記第１読取手段および前記第２読取手段は、前記搬送手段により搬送される物品の識別情報を読み取るものであり、前記搬送手段は、前記判別手段により判別された物品の属性により当該物品の搬送先を異ならせるように構成されることを特徴とする。
【００１３】
また、本発明は、有価物と前記有価物を収容する収容体とを有する物品から、前記有価物に付された第１識別情報を読み取る第１読取ステップと、当該物品から、前記収容体に付された第２識別情報を読み取る第２読取ステップと、前記第１読取ステップおよび前記第２読取ステップでの読取結果に基づいて、当該物品の属性を判別する判別ステップとを含む、物品取扱方法である。
【発明の効果】
【００１４】
本発明によれば、物品取扱装置では、物品の有価物に付された第１識別情報が第１読取手段によって読み取られ、当該物品において有価物を収容する収容体に付された第２識別情報が第２読取手段によって読み取られ、第１読取手段および第２読取手段による読取結果に基づいて、判別手段が、当該物品の属性を判別する。つまり、物品における実質的な中身である有価物に付された第１識別情報と、物品の収容体に付された第２識別情報とを用いた２段階の読取結果に基づいて当該物品の属性が正確に判別されるので、物品の属性の判別精度の向上を図れる。
【００１５】
また、本発明によれば、第１読取手段が物品から読み取った第１識別情報から得られる当該物品の種類情報と、第２読取手段が当該物品から読み取った第２識別情報から得られる当該物品の種類情報とが対応するものである場合に、判別手段は、当該物品の正当性を肯定判別する。これにより、有価物が入れ替えられることによって偽造された物品では、第１識別情報から得られる種類情報と第２識別情報から得られる種類情報とが対応しないので、このような物品の正当性が誤って肯定判別されることを防止できる。そのため、物品の属性の判別精度の一層の向上を図れる。
【００１６】
また、本発明によれば、異なる形式で読み取られる第１識別情報および第２識別情報を用いた別々の読取結果に基づいて、当該物品の属性が一層正確に判別されるので、物品の属性の判別精度の一層の向上を図れる。
【００１７】
また、本発明のように、第１識別情報は、光学的に読み取り可能な情報であってもよく、第２識別情報は、電子的に読み取り可能な情報であってもよい。
【００１８】
また、本発明によれば、物品を搬送する搬送手段は、判別手段により判別された物品の属性により当該物品の搬送先を異ならせるので、判別後の物品を属性毎に振り分けることができる。これにより、振分後の物品を属性毎に処理することができるので、利便性の向上を図れる。
【図面の簡単な説明】
【００１９】
【図１】図１は、この発明の一実施形態に係る物品取扱装置を正面側から見た斜視図である。
【図２】図２は、物品取扱装置の電気的な構成を示すブロック図である。
【図３】図３は、物品取扱装置における搬送部を抜き出して示した斜視図である。
【図４】図４は、搬送部に含まれるベルトを抜き出して示した斜視図である。
【図５】図５は、物品取扱装置において読取部が物品から情報を読み取る様子を図解的に示す模式図である。
【図６】図６は、物品取扱装置の収納部を抜き出して示した斜視図であって、ステージがリジェクト位置にある状態を示している。
【図７】図７は、収納部の斜視図であって、ステージが回収位置にある状態を示している。
【図８】図８は、物品取扱装置において実施される物品の繰出振分処理の手順を示すフローチャートである。
【図９】図９は、繰出振分処理における真偽判別処理の手順を示すフローチャートである。
【図１０】図１０は、変形例に係る真偽判別処理の手順を示すフローチャートである。
【図１１】図１１は、物品取扱装置の記憶部に記憶されるテーブルの内容を示す図である。
【図１２】図１２は、記憶部に記憶される別のテーブルの内容を示す図である。
【図１３】図１３は、物品取扱装置において実施される異常チェックの処理の手順を示すフローチャートである。
【図１４】図１４は、異常チェックにおける文字化け異常チェックの処理の手順を示すフローチャートである。
【図１５】図１５は、異常チェックにおける欠損異常チェックの処理の手順を示すフローチャートである。
【図１６】図１６は、異常チェックにおける余剰異常チェックの処理の手順を示すフローチャートである。
【図１７】図１７は、変形例に係る物品取扱装置を含む物品取扱システムを示す模式図である。
【図１８】図１８は、物品取扱システムにおける通い箱のメモリ部に記憶されるテーブルの内容を示す図である。
【発明を実施するための形態】
【００２０】
以下には、図面を参照して、この発明の一実施形態に係る物品取扱装置１について具体的に説明する。物品取扱装置１で取り扱われる物品の一例として、以下では、パチンコ店等の遊技施設で遊技客に払い出された特殊賞品を挙げる。
【００２１】
特殊賞品とは、菓子や煙草といった一般賞品ではなく、所定の金銭価値を有する金等の有価物が内蔵された物品のことである。特殊賞品は、一般的に、１〜３ｍｍ程度の厚みを有する略長方形状をなす樹脂製のカードである。特殊賞品には、内蔵された有価物の価値に応じて、たとえば、２００円、１０００円、２０００円、５０００円といった金種毎に複数の種類が存在する。
【００２２】
このような物品を交換してくれる交換所という施設が、遊技施設とは別にあり、物品取扱装置１は、一例として、交換所内に設置されている。この場合における物品取扱装置１は、物品を繰り出して当該物品から所定の情報を読み取った後に当該物品を所定の振分先に振り分けて収納する物品読取装置である。物品取扱装置１の具体的な運用として、交換所の係員は、遊技客から受け取った物品を、物品取扱装置１にセットする。その後、物品取扱装置１の動作が開始されて、セットされた物品は、１枚ずつ物品取扱装置１内に取り込まれ、真偽および種類といった物品自身の属性についての判別を受けた後に、グループ毎にまとめられる。物品取扱装置１での判別結果、つまり物品取扱装置１にセットされた物品の内訳は、物品取扱装置１に対して通信可能に接続された出金機（図示せず）に出力され、出金機から、遊技客の物品の価値に応じた現金と当該物品とが交換される。以上が、交換所における物品と現金の交換に関する一連の流れである。なお、現金と交換された物品は、物品を遊技施設に納入する問屋によって買い取られる。
【００２３】
図１は、物品取扱装置１を正面側から見た斜視図である。なお、以下では、図１において紙面手前側に相当する正面側から見たときにおける物品取扱装置１の左右上下前後の方向を基準として、物品取扱装置１およびその構成部品の向きを特定する。ここで、左右方向と物品取扱装置１の幅方向とは同じであり、上下方向と垂直方向とは同じである。そして、物品取扱装置１の奥行き方向に相当する前後方向と、左右方向つまり幅方向とは、水平方向に含まれる。
【００２４】
図１を参照して、物品取扱装置１は、幅方向にやや長手の直方体形状である。物品取扱装置１の外郭をなす部分を本体２ということにすると、本体２では、右側約３分の２の領域に、操作部３と、プリンタ部４と、搬送部５と、読取部６と、表示部７とが設けられていて、左側約３分の１の領域に、収納部８が設けられている。
【００２５】
操作部３は、交換所の係員によって操作される部分であり、たとえば、本体２の正面における上下方向略中央に設けられている。操作部３は、物品取扱装置１の動作を開始させるために押下操作される開始スイッチ９と、物品取扱装置１の動作を停止させるために押下操作される停止スイッチ１０とを含んでおり、開始スイッチ９と停止スイッチ１０とは左右方向に並んで配置されている。プリンタ部４は、本体２の上面における幅方向略中央に設けられている。プリンタ部４は、物品取扱装置１での処理内容を、紙の伝票として本体２の上面の出力口２Ａからジャーナル出力することができる。
【００２６】
搬送部５は、係員が遊技客から受け取った物品を１枚ずつ繰り出して物品取扱装置１内で搬送するための構成である。搬送部５に関し、本体２の正面右上のコーナー部分は、正面側および上側の両方から切り欠くように凹状にえぐられていて、この凹状部分および周辺部分は、物品が上下方向に積層した状態でセットされ、当該物品を本体２内に繰り出すための繰出部１１となっている。なお、物品の積層方向である上下方向は、各物品の厚さ方向と一致している。読取部６は、搬送部５の繰出部１１から繰り出された物品から、種類および真偽等を判別するための情報を読み取る部分である。
【００２７】
表示部７は、本体２の正面において、前述した右側約３分の２の領域の略下半分を占めていて、幅方向に長手の長方形状をなす液晶のタッチパネルである。表示部７には、物品取扱装置１における必要な情報が表示される。収納部８は、搬送部５での搬送を終えた物品が収納される収納庫１２を有している。
【００２８】
図２は、物品取扱装置１の電気的な構成を示すブロック図である。次に、図２を参照しながら、物品取扱装置１の電気的な構成について説明する。物品取扱装置１は、判別手段の一例として物品取扱装置１の動作を制御する制御部１５を含んでいる。制御部１５は、ＣＰＵやＲＯＭやＲＡＭ等によって構成されている。物品取扱装置１において、制御部１５には、前述した操作部３、プリンタ部４、搬送部５、読取部６、表示部７および収納部８のそれぞれと、記憶部１６とが電気的に接続されている。記憶部１６は、様々な情報を記憶している。以下では、搬送部５、読取部６および収納部８のそれぞれの詳細について、この順番で説明する。
【００２９】
図３は、搬送部５を抜き出して示した斜視図である。図３の姿勢は、図１の物品取扱装置１の姿勢と同じである。図３を参照して、搬送部５は、本体２に固定されたフレーム２０と、前述した繰出部１１と、回転軸２１と、搬送手段の一例としてのベルト２２と、駆動モータ２３とを主に含んでいる。
【００３０】
フレーム２０は、正面から見て、幅方向に長手で前後方向にやや薄いボックス状であり、その前面および下面の全域が開放されている。すなわち、フレーム２０は、上壁２０Ａと、左壁２０Ｂと、右壁２０Ｃと、後壁２０Ｄとを一体的に有している。上壁２０Ａは、幅方向に細長く上下方向に薄い板状をなしている。上壁２０Ａの前後方向寸法は、前述した物品における短手方向寸法よりもある程度大きい。左壁２０Ｂは、幅方向に薄い板状をなしており、上壁２０Ａの左端から下側へ延びている。右壁２０Ｃは、幅方向に薄い板状をなしており、上壁２０Ａの右端から下側へ延びている。後壁２０Ｄは、前後方向に薄い板状であり、左壁２０Ｂおよび右壁２０Ｃの後端間に架設されているとともに、上壁２０Ａの後端に接続されている。
【００３１】
上壁２０Ａの幅方向略中央には、幅方向に薄く上側へ延びる第１縦壁２４が接続されている。第１縦壁２４の下端と、上壁２０Ａの上面との間には、物品１枚がちょうど通過できる程度の隙間２５が形成されている。つまり、隙間２５の上下方向寸法は、物品１枚の厚さより少し大きく、隙間２５の前後方向寸法は、物品１枚の短手方向寸法より少し大きい。また、上壁２０Ａの後端の略右半分には、前後方向に薄く上側へ延びる第２縦壁２６が接続されている。第１縦壁２４の後端と第２縦壁２６の左端とは、上下方向におけるほぼ全域に亘って接続されており、平面視で、第１縦壁２４および第２縦壁２６の全体が、略Ｌ字をなしている。上壁２０Ａの右端部には、ガイド部２７が取り付けられている。ガイド部２７は、中空のボックス状をなしていて、第１縦壁２４に対して右側から対向配置されている。ガイド部２７において第１縦壁２４に対向する左側面をガイド面２７Ａということにすると、ガイド面２７Ａは、上側へ略垂直に延びた後に、第１縦壁２４から離れるように右上側へ傾斜している。
【００３２】
上壁２０Ａの略右側部分、第１縦壁２４、ガイド部２７および第２縦壁２６、ならびにこれらによって囲まれた部分が、前述した繰出部１１を構成している。上壁２０Ａの上面において、第１縦壁２４およびガイド部２７によって幅方向から挟まれ、第２縦壁２６によって後側から仕切られた部分は、繰出部１１において物品が上下方向に積層した状態でセットされるセット部２８である。セット部２８では、物品の長手方向が物品取扱装置１の幅方向に沿うように、最大で３０枚の物品がセットされる。ガイド部２７において傾斜したガイド面２７Ａが物品をセット部２８に導くので、セット部２８に物品を円滑にセットできる。
【００３３】
セット部２８では、セットされた物品の前側部分の真下に位置する部分に、幅方向全域に亘ってセット部２８を切り欠く切り欠き２９が形成されている。切り欠き２９は、幅方向に延びる溝状である。ガイド部２７のガイド面２７Ａの下端部において、切り欠き２９と前後方向で同じ位置にある部分には、切り欠き３０が形成されている。切り欠き３０は、切り欠き２９と連通しているとともに、ガイド部２７の内外を連通させている。
【００３４】
上壁２０Ａの上面において、第１縦壁２４よりも左側に位置する略左半分領域には、前後一対のガイドレール３１が設けられている。各ガイドレール３１は、当該略左半分領域の幅方向における全域に亘るように幅方向に細長く延びている。一対のガイドレール３１のうち、前側のガイドレール３１Ａは、上壁２０Ａの上面の前端部に対して、物品１枚の厚さ分の隙間を隔てて上側から対向している。一対のガイドレール３１のうち、後側のガイドレール３１Ｂは、上壁２０Ａの上面の後端部に対して、物品１枚の厚さ分の隙間を隔てて上側から対向している。物品取扱装置１において、上壁２０Ａの上面の略左半分領域から一対のガイドレール３１までの上下のスペースを搬送路３２ということにする。搬送路３２は、物品１枚の厚さとほぼ同じ厚さで幅方向に水平に延びる帯状空間である。上壁２０Ａにおいて搬送路３２を下から区画する上面を、搬送面３２Ａということにする。搬送面３２Ａは、水平方向に沿って平坦であり、幅方向に延びている。
【００３５】
搬送路３２は、前述した隙間２５を介してセット部２８に連通しており、セット部２８から水平な状態で左側へ延びている。搬送路３２は、セット部２８にセットされた物品を、セット部２８にセットされたときと同じ姿勢のまま、搬送面３２Ａに載置された状態で左側へ搬送することができる。物品の搬送方向Ｘは、物品の長手方向と一致する。搬送路３２を搬送中の物品では、前後の端部の真上にガイドレール３１が位置しているので、搬送路３２において、物品は、浮き上がることなく搬送される。なお、セット部２８の物品が各ガイドレール３１に引っ掛かることなく円滑に搬送路３２に受け渡されるように、各ガイドレール３１の下端面の右端部には、右上側へ延びるガイド面３１Ｃが形成されている。
【００３６】
上壁２０Ａにおいて平面視で一対のガイドレール３１の間に位置する領域には、上壁２０Ａを上下方向に切り欠く切り欠き３３が形成されている。上壁２０Ａの下側には、前述した読取部６が組み付けられていて、切り欠き３３から搬送路３２内に露出されている。
【００３７】
回転軸２１は、前後方向に延びる軸状体であって、全部で４本設けられている。これらの回転軸２１は、正面視で離散配置された状態で、フレーム２０によって回転可能に支持されている。以下では、４つの回転軸２１のそれぞれを、回転軸２１Ａ、回転軸２１Ｂ、回転軸２１Ｃおよび回転軸２１Ｄというように区別することがある。回転軸２１Ａは、フレーム２０における左上のコーナーに配置されている。回転軸２１Ａの後端部は、フレーム２０の後壁２０Ｄよりも後側へはみ出している。回転軸２１Ｂは、フレーム２０における左下のコーナーから少し右側の位置に配置されている。回転軸２１Ｃは、フレーム２０における右下のコーナーから少し上側の位置に配置されている。回転軸２１Ｄは、フレーム２０における右上のコーナーに配置されている。各回転軸２１では、前後方向においてセット部２８の切り欠き２９と同じ位置に、プーリー３４が一体回転可能に取り付けられている。プーリー３４は、回転軸２１に対して外嵌される円環であって、プーリー３４の軸方向両端部には、周方向全域に亘って径方向外側へ張り出したフランジ３４Ａが一体的に設けられている。
【００３８】
図４は、ベルト２２を抜き出して示した斜視図である。図４の姿勢は、図１および図３での物品取扱装置１の姿勢と同じである。図４も参照して、ベルト２２は、無端状をなす環状ベルト（いわゆるエンドレスベルト）であり、ゴム等の弾性体で形成されている。ベルト２２を、その周方向Ｒと直交する平坦面に沿って切断したときの断面は、物品取扱装置１の前後方向に沿って細長い長方形状をなしている。ベルト２２の外周面２２Ａには、複数（ここでは７つ）の係合部３５が、周方向Ｒに沿って一定の間隔で設けられている。各係合部３５は、ベルト２２の断面の長手方向に沿って細長い略直方体の突起であって、ベルト２２に一体形成されている。各係合部３５の長手方向寸法Ｌは、ベルト２２の断面の長手方向寸法とほぼ同じである。各係合部３５のベルト２２の外周面２２Ａからの突出量Ｓは、図４で図示された物品４０の１枚の厚さＴとほぼ同じである。ベルト２２において周方向Ｒに隣り合う２つの係合部３５の間隔Ｐは、１つの物品４０の長手方向寸法Ｑよりも数ｍｍ程度大きい。
【００３９】
ベルト２２は、図３に示すように、フレーム２０内において、４つの回転軸２１のプーリー３４に対して、所定のテンションがかかった状態で掛け回されている。ベルト２２において各プーリー３４に掛かった部分は、曲り角Ｃになっている。図３では、回転軸２１ＡおよびＢにおけるベルト２２の曲り角Ｃが図示されている。
【００４０】
ベルト２２は、回転軸２１Ａにおける曲り角Ｃではプーリー３４の外周面に沿って湾曲し、その後、右下側へ延びて回転軸２１Ｂのプーリー３４に掛かっている。ベルト２２は、回転軸２１Ｂにおける曲り角Ｃではプーリー３４の外周面に沿って湾曲し、その後、右上側へ延びて回転軸２１Ｃのプーリー３４に掛かっている。ベルト２２は、回転軸２１Ｃにおける曲り角Ｃ（図示せず）ではプーリー３４の外周面に沿って湾曲し、その後、上側へ略垂直に延びて回転軸２１Ｄのプーリー３４に掛かっている。ベルト２２は、回転軸２１Ｄにおける曲り角Ｃ（図示せず）ではプーリー３４の外周面に沿って湾曲し、その後、水平に沿って左側へ延びて回転軸２１Ａのプーリー３４に掛かっている。
【００４１】
回転軸２１Ａにおけるベルト２２の曲り角Ｃは、収納部８の収納庫１２に右側から隣接して配置されている。ベルト２２は、フレーム２０の上壁２０Ａにおいて第１縦壁２４よりも右側に位置する略右半分領域では、繰出部１１におけるセット部２８の切り欠き２９から露出されていて、上壁２０Ａの略左半分領域では、搬送路３２の前端部に配置されている。４つの回転軸２１のプーリー３４に掛け回されたベルト２２は、繰出部１１、搬送路３２および収納庫１２を巡るように設けられている。ベルト２２は、各回転軸２１のプーリー３４における一対のフランジ３４Ａの間に配置されることによって、前後方向において位置決めされている。そのため、ベルト２２は、周方向Ｒにおけるどの部分においても、セット部２８の切り欠き２９と前後方向で同じ位置にある。
【００４２】
駆動モータ２３は、フレーム２０内において後壁２０Ｄに固定されている。駆動モータ２３の出力軸（図示せず）と、回転軸２１Ａの後端部とには、タイミングベルト３６が掛け回されている。駆動モータ２３が電力を受けて駆動されると、駆動モータ２３の駆動力がタイミングベルト３６を介して回転軸２１Ａに伝達され、回転軸２１Ａが軸周りに回転する。これにより、ベルト２２は、４つの回転軸２１のプーリー３４に掛け回された状態で周回移動する。図３における正面視で反時計回りの方向が、ベルト２２の正回転方向であり、時計回りの方向が、ベルト２２の逆回転方向である。正回転方向が、ベルト２２の通常の周回移動方向である。なお、ベルト２２は、前述したように周方向Ｒにおけるどの部分においても切り欠き２９と前後方向で同じ位置にあるので、周回移動しているときに、周方向Ｒにおけるどこかの部分が前後にぶれることはない。
【００４３】
駆動モータ２３の駆動、つまりベルト２２の周回移動は、制御部１５（図２参照）によって制御される。具体的には、駆動モータ２３は、ステッピングモータであり、係員が遊技客から受け取った物品４０をセット部２８にセットしてから開始スイッチ９（図１参照）を押下操作すると、制御部１５は、駆動モータ２３のステップ角等の制御を行うことで、ベルト２２の周回移動を開始させる。制御部１５は、ベルト２２の周回速度や周回移動方向も制御できる。
【００４４】
ベルト２２が正回転方向に周回移動しているとき、ベルト２２の外周面２２Ａの各係合部３５は、正回転方向に沿って周回移動する。この際、各係合部３５は、フレーム２０の上壁２０Ａ、つまり回転軸２１Ａと回転軸２１Ｄとの間の領域においては、セット部２８の切り欠き２９と搬送路３２の前端部とを、この順で、水平方向に沿って左側へ通過する。ここでの左側は、物品４０の搬送方向Ｘにおける下流側である。繰出部１１のセット部２８に積層状態でセットされた物品４０（図４参照）のうち最下位の物品４０は、その右端縁の前端部が、搬送方向Ｘにおける上流側である右側からやってきて左側へ進む係合部３５に係合されることで、左側へ進められる。これにより、当該物品４０は、その右端縁に引っ掛かっている係合部３５と、この係合部３５に対して正回転方向における下流側から隣り合う別の係合部３５との間に挟まれた状態で、セット部２８から繰り出されて搬送される。
【００４５】
セット部２８から繰り出された物品４０は、ベルト２２の周回移動に伴って、第１縦壁２４の下側の隙間２５を通過し、搬送面３２Ａに沿って搬送路３２を左側へ水平に搬送される。なお、前述したように隙間２５は、物品１枚がちょうど通過できる程度の大きさなので、セット部２８で待機する他の物品４０まで繰り出されて搬送路３２まで搬送されることが規制される。そして、搬送路３２を左側へ搬送される物品４０は、回転軸２１Ａにおけるベルト２２の曲り角Ｃまで到達すると、搬送路３２を通過したことになり、搬送方向Ｘにおける上流側から今まで引っ掛かっていた係合部３５によって左側へ押し出されることによって、左側にある収納部８の収納庫１２に投げ入れられる。このようにして、セット部２８に積層状態でセットされた物品４０が、最下位の物品４０から順に、１枚ずつ繰り出されて搬送路３２を通過し、収納庫１２に投げ入れられる。
【００４６】
以上のように、ベルト２２は、周回移動することによって、物品４０を係合部３５で引っ掛けてセット部２８から１つずつ繰り出して搬送路３２経由で収納部８の収納庫１２まで搬送する。
【００４７】
ベルト２２において周方向Ｒに隣り合ういずれか２つの係合部３５がセット部２８を左右方向からちょうど挟む位置にあるとき、この状態で静止しているベルト２２は、セット部２８における最下位の物品４０を直ちに繰り出せる待機位置にある。また、ベルト２２が待機位置にあるときに、セット部２８にセットされて２つの係合部３５の間に位置する最下位の物品４０は、ベルト２２による繰り出しが可能な繰出位置にある。フレーム２０の右壁２０Ｃには、ベルト２２が待機位置にあるか否かを検知する位置センサ３７が設けられている。
【００４８】
図４では、待機位置にあるベルト２２と繰出位置にある物品４０とが図示されている。繰出位置にある物品４０を挟んだ２つの係合部３５のうちの一方は、セット部２８の右側、厳密には、ガイド部２７内における切り欠き３０の近傍に位置する係合部３５Ａである。この状態のベルト２２では、係合部３５Ａに対してベルト２２の正回転方向における上流側から隣り合う別の係合部３５Ｂが存在する。位置センサ３７は、ＬＥＤ等から構成されて検知光を発光する発光素子３７Ａと、発光素子３７Ａに対して前後方向から対向する受光素子３７Ｂとを備えている。
【００４９】
ベルト２２が待機位置にない場合には、係合部３５Ｂが発光素子３７Ａと受光素子３７Ｂとの間に位置せず、発光素子３７Ａに発光された検知光が受光素子３７Ｂによって受けられる。ベルト２２が待機位置にある場合には、係合部３５Ｂが発光素子３７Ａと受光素子３７Ｂとの間に位置して検知光を遮断するので、検知光が受光素子３７Ｂによって受けられない。これにより、位置センサ３７は、ベルト２２が待機位置にあることを検知する。位置センサ３７と制御部１５とは電気的に接続されており、位置センサ３７による検知結果は、制御部１５に出力される。なお、ここでは係合部３５Ａおよび係合部３５Ｂを挙げて待機位置について説明したが、ベルト２２におけるいずれか１つの係合部３５が発光素子３７Ａと受光素子３７Ｂとの間に位置して検知光を遮断していれば、このときのベルト２２は、待機位置にある。
【００５０】
次に、物品４０について詳説する。物品４０は、収容体４１と、有価物４２と、ＩＣタグ４３とを主に含む。収容体４１は、略長方形をなす樹脂製のカードであり、物品４０の外郭をなしている。図４では、物品４０の長手方向は、ベルト２２の周方向Ｒと物品取扱装置１の幅方向と一致しており、物品４０の短手方向は、物品取扱装置１の前後方向と一致している。収容体４１の厚さ方向における一方側の外面が、物品４０の表面４０Ａであり、他方側の外面が物品４０の裏面４０Ｂである。物品４０の金種を目視で区別できるように、収容体４１の外面の色が物品４０の種類毎に異なっていてもよい。
【００５１】
物品４０の表面４０Ａには、物品４０の長手方向において長手となった長方形状の識別領域４０Ｃが形成されている。識別領域４０Ｃの全域には、表面４０Ａにおける他の領域と目視で区別するために、箔が設けられてもよい。識別領域４０Ｃは、表面４０Ａにおいて、物品４０の短手方向における中央部に配置されているものの、物品４０の長手方向における一方側または他方側に偏った位置に配置されている。
【００５２】
有価物４２は、たとえば金等の貴金属で構成されたチップであり、物品４０の外面から目視可能となるように識別領域４０Ｃにおいて収容体４１に収容されている。有価物４２は、識別領域４０Ｃの長手方向における中央部に配置されている。識別領域４０Ｃには、識別マーク４４が付されている。識別マーク４４は、物品４０の短手方向に延びる複数の筋状マーク４４Ａによって構成されている。それぞれの筋状マーク４４Ａは、凸状または凹状に形成された微細なコードである。筋状マーク４４Ａは、この実施形態では１０個存在し、物品４０の長手方向に沿って並んでおり、そのうちの一部（ここでは中央の３つ）の筋状マーク４４Ａは、有価物４２に直接付されている。
【００５３】
識別マーク４４では、それぞれの筋状マーク４４Ａに個別の識別番号が割り当てられていて、それぞれの筋状マーク４４Ａには、割り当てられた識別番号を特定するための特定情報が設けられている。特定情報は、暗号化されたデータであってもよいし、筋状マーク４４Ａ自身の凹凸の大きさであってもよい。各筋状マーク４４Ａに割り当てられた識別番号を、１０個の筋状マーク４４Ａの並ぶ順番で組み合わせたものは、識別マーク４４全体に割り当てられた第１識別情報である。１番目〜１０番目という１０個の識別番号によって構成された第１識別情報は、物品４０の種類毎に異なるので、第１識別情報によって、物品４０の真偽を識別するとともに物品４０の種類も識別できる。つまり、第１識別情報には、物品４０の種類を特定するための種類情報が含まれる。前述したように識別マーク４４における一部の筋状マーク４４Ａが有価物４２に直接付されているので、第１識別情報は、有価物４２に付されている。これにより、第１識別情報によって、有価物４２自体の真偽も識別できる。つまり、第１識別情報により、識別マーク４４が付された物品４０が、本物の金で構成された有価物４２を内蔵した所定の種類の本物の物品４０であることが証明される。本物の物品４０に対して物品４０の種類毎に設定された第１識別情報は、記憶部１６（図２参照）に予め記憶されている。
【００５４】
ＩＣタグ４３には、物品４０の種類を特定するための種類情報や、個々の物品４０に割り当てられた個別情報（たとえば、ＩＣタグを構成するＩＣチップの製造番号であるＩＤｍ）等が記憶されている。以下では、識別マーク４４から読み取られる第１識別情報と区別するために、ＩＣタグ４３に記憶された情報（特に種類情報）を第２識別情報という。ＩＣタグ４３は、収容体４１に埋め込まれているので、第２識別情報は、収容体４１に付されている。第２識別情報により、ＩＣタグ４３を内蔵した物品４０が、所定の種類の本物の物品４０であることが証明される。本物の物品４０に対して物品４０の種類毎に設定された第２識別情報は、記憶部１６（図２参照）に予め記憶されている。
【００５５】
なお、前述したように識別領域４０Ｃが物品４０の短手方向における中央部に配置されていることから、物品４０がセット部２８（図３参照）にどのような向きでセットされたとしても、識別領域４０Ｃにおける識別マーク４４は、ベルト２２から前後方向にずれている。そのため、物品４０の識別マーク４４が読取部６による読取を受けるときに、識別マーク４４がベルト２２の裏に隠れることはない。
【００５６】
図５は、物品取扱装置１において読取部６が物品４０から情報を読み取る様子を図解的に示す模式図である。次に、図５を参照しながら、読取部６について詳説する。図５では、繰出部１１のセット部２８にセットされた最下位の物品４０が図示されている。図５において左側へ向けて水平に延びる黒い太線矢印は、搬送路３２での物品４０の搬送方向Ｘの下流側を示している。
【００５７】
読取部６は、搬送路３２の上側に配置される上側読取ブロック５０と、搬送路３２の下側に配置される下側読取ブロック５１とを含んでいる。前述したように読取部６において上壁２０Ａの切り欠き３３から搬送路３２内に露出されている部分は、下側読取ブロック５１である（図３参照）。上側読取ブロック５０および下側読取ブロック５１のそれぞれは、第１読取手段の一例としての読取センサ５２を１つずつ含む。そのため、上側読取ブロック５０および下側読取ブロック５１の全体で見ると、読取センサ５２は、搬送路３２に対して、前述した搬送方向Ｘに交差（厳密には、直交）する上下方向における両側に配置されるように一対設けられていて、一対の読取センサ５２は、搬送路３２を挟んで対向している。
【００５８】
それぞれの読取センサ５２は、搬送路３２に向けて投光する発光素子５３と、搬送路３２からの反射光を受光する受光素子５４と、発光素子５３および受光素子５４が実装されたセンサ基板５５とを含む。下側読取ブロック５１において、読取センサ５２よりも左側、つまり搬送方向Ｘにおける下流側には、第２読取手段の一例としてのＩＣリーダライタ５７が設けられている。ＩＣリーダライタ５７は、物品４０の収容体４１におけるＩＣタグ４３と無線通信することによって、ＩＣタグ４３に記憶された第２識別情報を電子的に読み取ることができる。
【００５９】
繰出部１１から繰り出されて搬送路３２に進入した物品４０の左端部が、搬送方向Ｘにおいて読取センサ５２と同じ位置に差し掛かると、一対の読取センサ５２の発光素子５３からの光が、物品４０に照射される。ただし、一対の読取センサ５２のうち物品４０の表面４０Ａに臨む位置にある読取センサ５２でのみ、発光素子５３からの光が、表面４０Ａの識別マーク４４に照射される。図５の場合、物品４０の上面が表面４０Ａであるので、物品４０の上面側に位置する上側読取ブロック５０の読取センサ５２の発光素子５３からの光だけが、表面４０Ａの識別マーク４４に照射される。
【００６０】
搬送路３２で引き続き搬送される物品４０の移動に伴って、発光素子５３からの光は、識別マーク４４において搬送方向Ｘに並ぶ１０個の筋状マーク４４Ａに対して、左側の筋状マーク４４Ａから順に照射される。これにより、筋状マーク４４Ａで反射した光は、左端の筋状マーク４４Ａから順に、受光素子５４によって受光される。
【００６１】
物品４０の表面４０Ａに臨む位置にある読取センサ５２では、センサ基板５５が、受光素子５４によって受光された光から、それぞれの筋状マーク４４Ａに設けられた特定情報を読み取り、これら特定情報から、それぞれの筋状マーク４４Ａに割り当てられた識別番号を、左側の筋状マーク４４Ａから順に特定する。そして、センサ基板５５に設けられた処理回路（図示せず）は、特定した識別番号を、特定した順番で組み合わせることによって、ベルト２２によってセット部２８から繰り出されて搬送される物品４０から、識別マーク４４に割り当てられた第１識別情報を読み取る。このように、第１識別情報は、光学的に読み取り可能な情報であって、電子的に読み取り可能な第２識別情報とは、異なる形式で読み取られる。センサ基板５５が物品４０から読み取った第１識別情報は、制御部１５に送られ、当該物品４０の種類および真偽の判別に用いられる。
【００６２】
一対の読取センサ５２が搬送路３２を挟んで上下に対向配置されるので、表面４０Ａにしか識別マーク４４が設けられていない物品４０が、表裏の向きが不明な状態で搬送されてきても、物品４０の両側に位置する一対の読取センサ５２のどちらかが、必ず物品４０の識別マーク４４から第１識別情報を読み取ることができる。また、紙幣等の紙とは異なり、物品４０には、ある程度の厚みがあるので、一対の読取センサ５２のそれぞれにおける発光素子５３からの光が物品４０を透過しない。よって、一対の読取センサ５２は、搬送路３２の物品４０を挟むように対向配置されていても、物品４０の識別マーク４４からの第１識別情報の読み取りを互いに邪魔し合うことがない。
【００６３】
なお、図５の場合では、上側読取ブロック５０の読取センサ５２だけが物品４０の識別マーク４４から第１識別情報を読み取れることにより、制御部１５は、物品４０の種類および真偽の判別だけでなく、当該物品４０の表裏の向きを判別することもできる。つまり、上下一対の読取センサ５２のどちらが搬送路３２上の物品４０の識別マーク４４から第１識別情報を読み取ったかに応じて、制御部１５は、当該物品４０の表裏を判別することができる。そのため、物品４０の表裏を反転させる機構が物品取扱装置１に設けられていれば、第１識別情報の読み取りを終えた物品４０を、その表裏を揃えて収納庫１２に収納することができる。
【００６４】
そして、物品４０のＩＣタグ４３が搬送方向Ｘにおいて下側読取ブロック５１のＩＣリーダライタ５７とほぼ同じ位置まで到達すると、制御部１５は、ベルト２２の周回移動を停止させる。この際、ベルト２２において物品４０の搬送方向Ｘにおける両側に位置する係合部３５のおかげで、物品４０は、行き過ぎずに速やかに停止できる。ＩＣリーダライタ５７は、搬送途中で一時停止している物品４０のＩＣタグ４３に記憶された第２識別情報を読み取ることができる。読み取られた第２識別情報は、制御部１５（図２参照）に送られる。なお、搬送方向ＸにおいてＩＣリーダライタ５７とＩＣタグ４３とが多少ずれていても、ＩＣリーダライタ５７は、無線通信によってＩＣタグ４３から第２識別情報を読み取ることができる。
【００６５】
制御部１５は、読取センサ５２およびＩＣリーダライタ５７による読取結果に基づいて、物品４０の種類および真偽を判別する。種類および真偽を判別する手順については、追って詳しく説明する。なお、制御部１５は、物品４０の真偽を１枚ずつ判別することによって、物品４０の本物および偽物のそれぞれを計数することができる。さらに、制御部１５は、本物の物品４０については、種類毎に計数することもできる。
【００６６】
物品４０の種類および真偽の判別が完了すると、制御部１５は、ベルト２２の周回移動を再開する。その結果、種類および真偽の判別を受けた物品４０は、回転軸２１Ａにおけるベルト２２の曲り角Ｃまで到達すると、ベルト２２において物品４０に上流側から引っ掛かっている係合部３５によって左側へ押し出されることによって、左側にある収納部８の収納庫１２に投げ入れられる。
【００６７】
次に、読取部６による読み取りを受けた物品４０の収納先となる収納部８について詳説する。図６および図７は、収納部８を抜き出して示した斜視図である。図６および図７の姿勢は、図１の物品取扱装置１の姿勢と同じであり、収納部８は、図１における外側の化粧カバー７０が取り除かれた状態で示されている。収納部８は、前述した収納庫１２と、駆動モータ７２とを主に含んでいる。収納庫１２は、搬送路３２を通過した物品４０を収納する縦長の中空体であり、左壁７３と、右壁７４と、後壁７５と、ステージ７６とを含んでいる。
【００６８】
左壁７３および右壁７４は、ともに左右方向に薄く上下方向に長い長方形の板状であって、左右方向に間隔を隔てて対向配置されている。右壁７４は、収納庫１２において搬送部５に対して左側から隣接する部分であって、右壁７４において搬送路３２と上下方向で一致する位置には、貫通孔７４Ａが形成されている。貫通孔７４Ａは、搬送路３２を通過した物品４０を余裕をもって通過させる大きさを有していて、右壁４７の上下方向略中央に位置している。後壁７５は、前後方向に薄く上下方向に長い長方形の板状であって、左壁７３および右壁７４の後端縁間に架設されている。後壁７５の右側には、後壁７５の上下方向におけるほぼ全域に亘って上下方向に延びるガイド溝７５Ａが形成されている。ガイド溝７５Ａは、後壁７５を前後方向に貫通している。左壁７３と右壁７４と後壁７５とによって囲まれた縦長直方体状の空間は、収納庫１２の内部空間７７である。内部空間７７は、右壁７４の前端縁と後壁７５の前端縁との間から、前側へ開放されている。また、内部空間７７は、右壁７４の貫通孔７４Ａを介して搬送路３２に連通している。
【００６９】
ステージ７６は、上下方向に薄い板状であり、平面視において内部空間７７内にちょうど収まる略矩形状をなしている。ステージ７６は、複数（ここでは２つ）設けられている。これらのステージ７６は、上下方向に間隔を隔てた状態で内部空間７７内に収容されている。２つのステージ７６のうち、下側のステージ７６を下側ステージ７６Ａといい、上側のステージ７６を上側ステージ７６Ｂということにする。内部空間７７において上側ステージ７６Ｂよりも上側の領域は、下側ステージ７６Ａおよび上側ステージ７６Ｂによって上下２つの収納エリア７９に区切られている。具体的には、２つの収納エリア７９のうち、一方は、下側ステージ７６Ａと上側ステージ７６Ｂとの間の下側収納エリア７９Ａであり、他方は、上側ステージ７６Ｂよりも上側に位置する上側収納エリア７９Ｂである。
【００７０】
各ステージ７６の後端縁の右端部には、ガイド溝７５Ａに挿通される挿通部７８が設けられている。物品取扱装置１では、後壁７５の後面に、前述した駆動モータ７２と、変換機構８０とが設けられている。駆動モータ７２は、電力を受けて駆動されることによって、回転力を発生させる。変換機構８０は、上下に延びる周回軌跡に沿って周回移動するベルト８１を含んでいる。ベルト８１は、駆動モータ７２の出力軸に連結されていて、駆動モータ７２の回転力を受けて周回移動する。ベルト８１には、各ステージ７６の挿通部７８が連結されている。そのため、ベルト８１の周回移動に応じて、両方のステージ７６が、隣り合うステージ７６の上下方向の間隔を維持した状態で、上昇したり、下降したりする。つまり、変換機構８０は、駆動モータ７２が発生させた回転を、両方のステージ７６の上下移動に変換する機構である。駆動モータ７２の駆動は、制御部１５（図２参照）によって制御される。具体的には、駆動モータ７２は、ステッピングモータであり、制御部１５は、駆動モータ７２のステップ角等の制御を行うことで、ベルト８１の周回移動量つまりステージ７６の上下方向の移動量を制御する。
【００７１】
図６に示すように下側ステージ７６Ａが内部空間７７のほぼ最下位、厳密には、物品４０の数枚分の厚みだけ最下位から上側の位置にあって上側ステージ７６Ｂが内部空間７７の上下方向略中央にあるとき、両方のステージ７６の上下方向の位置を「リジェクト位置」という。図５を参照して、リジェクト位置にある両方のステージ７６のうち、上側ステージ７６Ｂの上面が、右壁７４の貫通孔７４Ａを介して搬送路３２の搬送面３２Ａと略面一になり、搬送面３２Ａに対して僅かな隙間を隔てて左側から連続している。このとき、収納庫１２の上側ステージ７６Ｂの上面と、搬送路３２の搬送面３２Ａと、繰出部１１のセット部２８とが、水平方向に沿って略面一に配置されている。
【００７２】
図６に示すように各ステージ７６がリジェクト位置にある状態で駆動モータ７２を駆動させると、両方のステージ７６が内部空間７７内で上昇する。図７に示すように上限まで上昇したときの両方のステージ７６の上下方向の位置を「回収位置」という。回収位置にある下側ステージ７６Ａは、内部空間７７の上下方向略中央にあり、回収位置にある上側ステージ７６Ｂは、内部空間７７のほぼ最上位にある。ただし、このときの上側収納エリア７９Ｂには、数枚分の物品４０を収容できる程度の余裕がある。
【００７３】
図５を参照して、回収位置にある両方のステージ７６のうち、下側ステージ７６Ａの上面が、右壁７４の貫通孔７４Ａを介して搬送路３２の搬送面３２Ａと略面一になり、搬送面３２Ａに対して僅かな隙間を隔てて左から連続している。このとき、リジェクト位置の場合と同様に、収納庫１２の下側ステージ７６Ａの上面と、搬送路３２の搬送面３２Ａと、繰出部１１のセット部２８とが、水平方向に沿って略面一に配置されている。
【００７４】
図７に示すように各ステージ７６が回収位置にある状態で制御部１５が駆動モータ７２を逆駆動させると、図６に示すように、両方のステージ７６がリジェクト位置まで下降する。なお、待機状態のステージ７６は、リジェクト位置にある。
【００７５】
制御部１５によって本物と判別された物品４０の振分先は、下側収納エリア７９Ａである。一方、制御部１５によって偽物と判別された物品４０の振分先は、上側収納エリア７９Ｂである。前述したように読取部６によって物品４０から読み取られた第１識別情報および第２識別情報に応じて物品４０の真偽が判別されるので、下側収納エリア７９Ａおよび上側収納エリア７９Ｂは、当該第１識別情報および第２識別情報に応じた振分先である。制御部１５は、駆動モータ７２および変換機構８０でステージ７６を上下させることによって、２つの収納エリア７９のうち、物品４０の本物および偽物のそれぞれの収納先となる収納エリア７９を切り替えることができる。
【００７６】
具体的には、制御部１５は、物品４０を本物と判別した場合、前述したようにベルト２２の周回移動を再開するのに前後して、ステージ７６をリジェクト位置から回収位置（図７参照）まで上昇させる。すると、下側収納エリア７９Ａの底をなす下側ステージ７６Ａの上面が、搬送路３２の搬送面３２Ａとつながるので（図５参照）、周回移動が再開されたベルト２２の係合部３５によって、当該物品４０が左側へ押されて下側収納エリア７９Ａへ投げ入れられ、下側ステージ７６Ａの上面に載置される。これにより、下側収納エリア７９Ａへの本物の物品４０の収納が達成される。
【００７７】
ちなみに、すでに下側収納エリア７９Ａに物品４０が収納された状態で、後続の物品４０を下側収納エリア７９Ａに収納する場合がある。この場合には、制御部１５は、駆動モータ７２を制御して、下側収納エリア７９Ａに既に収納された物品４０のうち最上位の物品４０の上面が搬送面３２Ａと略面一になるまで、ステージ７６を物品４０の１枚の厚みだけ下降させる。この状態でベルト２２の周回移動が再開されると、ベルト２２の係合部３５によって、後続の物品４０が左側へ押されて下側収納エリア７９Ａへ投げ入れされ、下側ステージ７６Ａにおける最上位の物品４０に対して上側から積層される。このように既に下側収納エリア７９Ａに物品４０が収納された状態で、後続の物品４０を下側収納エリア７９Ａに収納する場合には、両方のステージ７６が元の回収位置から徐々に下がっていく。下側収納エリア７９Ａには、最大で２１枚の物品４０を上下方向に積層した状態で収納することができる。
【００７８】
一方、制御部１５は、物品４０を偽物と判別した場合、前述したようにベルト２２の周回移動を再開するのに前後して、ステージ７６をリジェクト位置（図６参照）まで下降させる。ちなみに、既にステージ７６がリジェクト位置にあれば、制御部１５は、ステージ７６を移動させない。ステージ７６がリジェクト位置にある状態では、上側収納エリア７９Ｂの底をなす上側ステージ７６Ｂの上面が、搬送路３２の搬送面３２Ａとつながっているので（図５参照）、周回移動が再開されたベルト２２の係合部３５によって、当該物品４０が左側へ押されて上側収納エリア７９Ｂへ投げ入れられ、上側ステージ７６Ｂの上面に載置される。これにより、上側収納エリア７９Ｂへの物品４０のリジェクトが達成される。
【００７９】
ちなみに、すでに上側収納エリア７９Ｂに物品４０が収納された状態で、後続の物品４０を上側収納エリア７９Ｂに収納する場合がある。この場合には、下側収納エリア７９Ａへの物品４０の収納について説明したのと同様に、制御部１５は、駆動モータ７２を制御して、上側収納エリア７９Ｂに既に収納された最上位の物品４０の上面が搬送面３２Ａと略面一になるまで、物品４０の一枚の厚み分だけステージ７６を若干下降させる。この状態でベルト２２の周回移動が再開されると、ベルト２２の係合部３５によって、後続の物品４０が左側へ押されて上側収納エリア７９Ｂへ投げ入れされ、上側ステージ７６Ｂにおける最上位の物品４０に対して上から積層される。これにより、上側収納エリア７９Ｂへの後続の物品４０の収納が達成される。よって、すでに上側収納エリア７９Ｂに物品４０が収納された状態で、後続の物品４０を上側収納エリア７９Ｂに収納する場合には、両方のステージ７６が元のリジェクト位置から徐々に下がっていく。上側収納エリア７９Ｂには、最大で３枚の物品４０を積層状態で収納することができる。
【００８０】
また、制御部１５は、ある物品４０を本物と判別した後に、次の物品４０を偽物と判別すると、先行の物品４０が下側収納エリア７９Ａに収納されたことに応じて、両方のステージ７６を今までの回収位置からリジェクト位置へと切り替える。これにより、偽物と判別された後続の物品４０は、上側収納エリア７９Ｂに収納される。この物品４０に続いて、制御部１５が次の物品４０を本物と判別すると、制御部１５は、両方のステージ７６を今までのリジェクト位置から回収位置へと切り替える。これにより、本物と判別された次の物品４０は、下側収納エリア７９Ａに収納される。このように、制御部１５は、読取部６によって第１識別情報や第２識別情報が読み取られた物品４０の本物および偽物のそれぞれを、下側収納エリア７９Ａおよび上側収納エリア７９Ｂのうち該当する振分先へ振り分けることができる。
【００８１】
これらのステージ７６と、ステージ７６を昇降させるための変換機構８０等の構成と、前述したベルト２２と、ベルト２２を周回移動させるための駆動モータ２３等の構成と、制御部１５とは、物品４０を搬送する搬送手段の一例である。ステージ７６の存在によって、当該搬送手段は、判別された物品４０の真偽により当該物品４０の搬送先を異ならせるように構成されている。そのため、判別後の物品４０を真偽という属性毎に振り分けることができる。これにより、各収納エリア７９における振分後の物品４０を属性毎に処理（チェック等）することができるので、利便性の向上を図れる。もちろん、物品４０における別の属性である種類毎に物品４０を振り分けてもよい。収納エリア７９が多数存在すれば、物品４０を本物と偽物とに振り分けて収納するだけでなく、本物の物品４０を種類毎に振り分けて収納したり、偽物の物品４０を種類毎に振り分けて収納したりすることができる。
【００８２】
そして、セット部２８にセットされた全ての物品４０がいずれかの収納エリア７９に振り分けられると、制御部１５は、ステージ６７をリジェクト位置まで戻す。その後、各収納エリア７９の物品４０は、係員によって回収される。各収納エリア７９からの物品４０の回収を終えた係員が、停止スイッチ１０（図１参照）を押下操作すると、物品取扱装置１では、セット部２８にセットされた物品４０を繰り出して判別した後に振り分けるという一連の繰出振分処理が完了したことになる。なお、制御部１５は、先ほどまで下側収納エリア７９Ａに収納されていた本物の物品４０の種類毎の枚数や価値といった情報や、偽物の物品４０が上側収納エリア７９Ｂに存在する旨を表示部７（図１参照）に表示させたり、当該価値分の現金を出金するように出金機に対して指示を出したりしてもよい。
【００８３】
次に、図８のフローチャートを参照して、以上の繰出振分処理では、制御部１５が、ベルト２２を周回移動させることによって、セット部２８にセットされた物品４０を１枚ずつ繰り出して搬送する（ステップＳ１）。そして、制御部１５は、搬送途中の物品４０について真偽を判別する（ステップＳ２）。その結果、制御部１５は、当該物品４０を本物と判別した場合には（ステップＳ３でＹＥＳ）、当該物品４０を、現金と交換できる交換可能物品として計数加算して、下側収納エリア７９Ａに振り分けて回収する（ステップＳ４）。
【００８４】
一方、制御部１５は、当該物品４０を偽物と判別した場合には（ステップＳ３でＮＯ）、当該物品４０を、上側収納エリア７９Ｂにリジェクトする（ステップＳ５）。そして、制御部１５は、セット部２８に物品４０が残っている場合には（ステップＳ６でＹＥＳ）、残った物品４０についてステップＳ１〜Ｓ５の処理を繰り返し、セット部２８の物品４０が無くなった場合には（ステップＳ６でＮＯ）、繰出振分処理が終了する。繰出振分処理の終了に伴い、制御部１５は、前述した出金機（図示せず）に対して、交換可能物品の価値に応じた現金を出力するように指示を出力する。
【００８５】
次に、図９のフローチャートを参照して、前述したステップＳ２において物品４０の真偽を判別する手順について、詳しく説明する。真偽判別処理として、制御部１５は、まず、同一の物品４０から第１識別情報および第２識別情報の両方を読み取ることができたか否かを確認する（ステップＳ１１）。第１識別情報および第２識別情報の両方を読み取ることができた場合には（ステップＳ１１でＹＥＳ）、制御部１５は、読み取られた第１識別情報および第２識別情報のそれぞれが、記憶部１６において正しい識別情報として予め記憶された第１識別情報および第２識別情報のいずれかと一致するか否かを確認する（ステップＳ１２）。つまり、ステップＳ１２では、制御部１５は、物品４０から読み取られた第１識別情報および第２識別情報のそれぞれの正否を判別する。
【００８６】
読み取られた第１識別情報および第２識別情報のそれぞれが正しい場合には（ステップＳ１２でＹＥＳ）、制御部１５は、読取センサ５２によって当該物品４０の識別マーク４４から読み取られた第１識別情報から得られる種類情報と、当該物品４０のＩＣタグ４３から読み取られた第２識別情報から得られる種類情報とを比較する（ステップＳ１３）。
【００８７】
当該第１識別情報から得られる種類情報と、当該第２識別情報から得られる種類情報とが対応するものである場合に（ステップＳ１３でＹＥＳ）、制御部１５は、当該物品４０が所定の種類の本物であるとして、当該物品４０の正当性を肯定判別する（ステップＳ１４）。具体的には、当該第１識別情報から得られる種類情報に基づいて特定される物品４０の種類と、当該第２識別情報から得られる種類情報に基づいて特定される同一の物品４０の種類とが一致する場合には（ステップＳ１３でＹＥＳ）、制御部１５は、この物品４０の種類を判別するとともに、この物品４０が当該種類の本物であると判別する（ステップＳ１４）。
【００８８】
一方、同一の物品４０から第１識別情報および第２識別情報のいずれかを読み取ることができなかった場合や（ステップＳ１１でＮＯ）、これらの第１識別情報および第２識別情報のいずれかが正しくなかった場合や（ステップＳ１２でＮＯ）、当該第１識別情報と当該第２識別情報とで種類情報同士が対応しなかった場合には（ステップＳ１３でＮＯ）、当該物品４０は、制御部１５によって偽物と判別される（ステップＳ１５）。
【００８９】
制御部１５は、このような真偽判別処理に基づいてセット部２８における全ての物品４０を振り分けて繰出振分処理を終了した場合には、今回の繰出振分処理の結果を表示部７（図１参照）に表示してもよい。具体的に、本物と判別された物品４０の枚数、つまり、前述した交換可能物品の計数結果と、偽物と判別されたものの第１読取情報だけが正しかった物品４０の枚数と、偽物と判別されたものの第２読取情報だけが正しかった物品４０の枚数とが別々に集計されて、表示部７において係員に対して目視可能に表示される。
【００９０】
以上のように、物品４０における実質的な中身である有価物４２に付された第１識別情報と、物品４０の収容体４１に付された第２識別情報とを用いた２段階の読取結果に基づいて当該物品４０の属性が正確に判別される。つまり、個々の物品４０における種類および真偽という属性が、第１識別情報と第２識別情報とに基いてダブルチェックされる。これにより、物品４０の属性の判別精度の向上を図れる。特に、有価物４２が入れ替えられることによって偽造された物品４０では、第１識別情報から得られる種類情報と第２識別情報から得られる種類情報とが対応しないので（ステップＳ１３でＮＯ）、このような物品４０の正当性が誤って肯定判別されることを防止できる。そのため、物品４０の属性の判別精度の一層の向上を図れる。これにより、有価物４２の入れ替え等の不正を防止できる。
【００９１】
さらに、異なる形式で読み取られる第１識別情報および第２識別情報を用いた種類情報についての別々の読取結果に基づいて、当該物品４０の属性が一層正確に判別されるので、物品４０の属性の判別精度の一層の向上を図れる。
【００９２】
第１識別情報が付された識別マーク４４と、第２識別情報が付されたＩＣタグ４３との両方が設けられた物品４０では、真偽についてのセキュリティレベルが相対的に高い。物品４０が統一されていない過渡期の段階では、同じ種類の物品４０であっても、ＩＣタグ４３および識別マーク４４の両方が設けられた物品４０の他に、ＩＣタグ４３および識別マーク４４の一方が省略された物品４０が存在する場合がある。この場合には、ＩＣタグ４３および識別マーク４４の一方が省略されたものの実際には本物である物品４０が、セキュリティレベルが低いだけで偽物と判別される虞がある。そこで、偽物と判別されてステップＳ５でリジェクトされた物品４０については、その真偽が、係員の目視等によってあらためて確認されてもよい。つまり、ＩＣタグ４３および識別マーク４４の両方が設けられた物品４０や、ＩＣタグ４３および識別マーク４４の一方だけが設けられた物品４０というようにセキュリティレベルの異なる物品４０が混在する場合には、偽物と判別された物品４０であっても、それぞれのセキュリティレベルに応じて真偽を再判別すればよい。
【００９３】
また、ＩＣタグ４３および識別マーク４４の両方が設けられた同じ種類の物品４０であっても、物品４０における有価物４２や識別マーク４４についての製造元の違いによって、有価物４２において製造元等を示す刻印や、有価物４２における貴金属の配合や、識別マーク４４における筋状マーク４４Ａの配列パターン等が異なる場合がある。つまり、同じ種類の物品４０であっても、有価物４２と、有価物４２に付される識別マーク４４とのそれぞれが、製造元によって異なる場合がある。通常の場合、１つの遊技施設で運用される種類毎の物品４０の製造元は同じであるが、別の遊技施設で運用される製造元の異なる本物の物品４０が交換所に持ち込まれて物品取扱装置１において偽物と判別されると、この物品４０を持ち込んだ遊技客が迷惑を被る虞がある。かといって、製造元の異なる物品４０同士を区別しないまま問屋に買い取ってもらい、問屋がこれらの物品４０を区別せずに色々な遊技施設に納入すると、製造元の異なる物品４０が各遊技施設に混入して、製造元毎の物品４０の流通量が変わってしまう虞がある。
【００９４】
そこで、有価物４２および識別マーク４４に着目して、図１０のフローチャートに示すような変形例に係る真偽判別処理を実施してもよい。変形例に係る真偽判別処理は、単独で実施されてもよいし、図９での真偽判別処理と並行して実施されてもよい。図１０での真偽判別処理に関連して、読取部６は、有価物４２における貴金属が有する磁気を検出する磁気センサ（図示せず）を備えている。磁気センサ（図示せず）による磁気の検出結果は、制御部１５に送られる。記憶部１６には、正しい貴金属で構成された有価物４２に固有の磁気特性が予め記憶されている。制御部１５は、磁気センサ（図示せず）によって検出された磁気と、記憶部１６に記憶された磁気特性とが一致するか否かを確認することによって、当該有価物４２の正否をチェックする。
【００９５】
変形例に係る真偽判別処理として、制御部１５は、まず、物品４０の識別マーク４４から読み取った第１識別情報が、記憶部１６において予め記憶された第１識別情報と一致するか否かを確認することによって当該識別マーク４４の正否をチェックする（ステップＳ２１）。当該識別マーク４４が正しかった場合には（ステップＳ２１でＹＥＳ）、制御部１５は、同一の物品４０の有価物４２の磁気についての磁気センサ（図示せず）による検出結果に基づいて、前述したように有価物４２の正否をチェックする（ステップＳ２２）。有価物４２が正しかった場合には、制御部１５は、当該物品４０を、想定される製造元によって製造された本物と判別する（ステップＳ２３）。このような物品４０は、物品取扱装置１が設置された交換所の近隣の遊技施設で獲得された通常の物品４０である。
【００９６】
識別マーク４４が正しかったものの（ステップＳ２１でＹＥＳ）、貴金属の配合が異なる等によって有価物４２が正しくないと判断される物品４０が存在する。この場合には（ステップＳ２２でＮＯ）、制御部１５は、このような物品４０の取り扱いについての特例があるか否かを確認する（ステップＳ２４）。特例は、予め任意に設定されて記憶部１６に記憶されている。このような物品４０は、有価物４２が偽造された偽物かもしれないし、有価物４２の製造元が違うだけの本物であって、近隣の遊技施設とは別の遊技施設で獲得された物品４０が持ち込まれただけかもしれない。このように真偽の判別が難しい物品４０を本物とみなす特例があれば（ステップＳ２４でＹＥＳ）、制御部１５は、個別処理として、この物品４０を、前述した交換可能物品として計数加算するものの、ステップＳ２３で本物と判別された物品４０と区別するために、上側収納エリア７９Ｂ等に振り分ける（ステップＳ２５）。このような特例がなければ（ステップＳ２４でＮＯ）、制御部１５は、当該物品４０を、偽物と判別する（ステップＳ２６）。
【００９７】
一方、今回の物品４０の識別マーク４４が正しくなかった場合にも（ステップＳ２１でＮＯ）、制御部１５は、この物品４０における有価物４２の正否をチェックする（ステップＳ２７）。有価物４２が正しくなかった場合には（ステップＳ２７でＮＯ）、当該物品４０では識別マーク４４および有価物４２の両方が偽造された可能性が高いので、制御部１５は、当該物品４０を偽物と判別する（ステップＳ２６）。
【００９８】
識別マーク４４が正しくなかったものの（ステップＳ２１でＮＯ）、有価物４２が正しい物品４０が存在する場合には（ステップＳ２７でＹＥＳ）、制御部１５は、このような物品４０の取り扱いについての特例があるか否かを確認する（ステップＳ２４）。このような物品４０は、識別マーク４４が偽造された偽物かもしれない。または、製造元の違い等によって識別マーク４４についてのセキュリティ認証方法が違うだけの本物であって、近隣の遊技施設とは別の遊技施設で獲得された物品４０が持ち込まれただけかもしれない。このように真偽の判別が難しい物品４０を本物とみなす特例があれば（ステップＳ２４でＹＥＳ）、制御部１５は、個別処理として、この物品４０を、前述した交換可能物品として計数加算するものの、ステップＳ２３で本物と判別された物品４０と区別するために、上側収納エリア７９Ｂ等に振り分ける（ステップＳ２５）。このような特例がなければ（ステップＳ２４でＮＯ）、制御部１５は、当該物品４０を、偽物と判別する（ステップＳ２６）。
【００９９】
特例により、個別処理で本物とみなされた物品４０の真偽は、係員の目視等によって追って再確認される。この物品４０が近隣の遊技施設とは別の遊技施設で流通すべき物品４０である場合には、その旨とともに当該物品４０が問屋に買い取られるので、問屋では、この物品４０を色々な遊技施設に混入しないように、当該別の遊技施設に対応する流通ルートに戻すことができる。これにより、物品４０の流通量や流通ルートの調整が可能になる。なお、物品４０の流通を管理する管理センター８３（後述する図１７参照）が存在する場合には、別の遊技施設で流通すべき物品４０が持ち込まれた交換所から、当該物品４０についての情報が管理センター８３に通知されてもよい。管理センター８３では、通知された情報に基づいて流通ルート毎における物品４０の流通量等の分析が行われ、その分析結果が、遊技施設や問屋等に対して通知されてもよい。
【０１００】
そして、この変形例に係る真偽判別処理では、種類が同じものの製造元が異なる物品４０の真偽も的確に判別できるので、物品４０の真偽に係るセキュリティの向上を図れる。
【０１０１】
次に、物品４０の識別マーク４４からの第１識別情報の読み取りについて、さらに詳しく説明する。前述したように、物品４０の種類毎の第１識別情報は、記憶部１６（図２参照）に記憶されている。具体的には、物品４０の種類毎の第１識別情報が登録されたテーブル８５およびテーブル８６が記憶部１６に記憶されている。
【０１０２】
図１１は、テーブル８５の内容を示す図であり、図１２は、テーブル８６の内容を示す図である。たとえば、物品４０にＡ、Ｂ…という複数の種類があるとする。それぞれ種類の本物の物品４０において、識別マーク４４を構成する１０個の筋状マーク４４Ａのそれぞれに割り当てられた識別番号を筋状マーク４４Ａの並び方向における一方側から並べたものが、図１１のテーブル８５に登録された正順の第１識別情報である。一方、識別番号を筋状マーク４４Ａの並び方向における他方側から並べたものが、図１２のテーブル８６に登録された逆順の第１識別情報である。図１１を参照して、Ａという種類の物品４０では、それぞれの筋状マーク４４Ａの識別番号が当該一方側から順に、８、１、７、５、４、６、７、５、０、９であり、正順の第１識別情報は、８１７５４６７５０９である。しかし、同じＡという種類の物品４０であっても、当該他方側から見ると、筋状マーク４４Ａの識別番号は、図１２に示すように、９，０、５、７、６、４、５、７、１、８であり、逆順の第１識別情報は、９０５７６４５７１８である。
【０１０３】
読取部６が物品４０から読み取った第１識別情報が８１７５４６７５０９または９０５７６４５７１８であれば、制御部１５は、この物品４０を種類Ａの本物であると判別する。しかし、識別マーク４４に汚れ等が付着することによって、第１識別情報の読み取りの際に、以下の文字化け異常、欠損異常および余剰異常という３パターンの読み取り異常が発生することが想定される。
【０１０４】
文字化け異常とは、識別番号の一部が文字化けして読み取られることである。具体的には、正順の第１識別情報が８１７５４６７５０９であるのに対し、物品４０の識別マーク４４から読み取られた正順の第１識別情報が８２７５４６７５０９であって、正順における２番目の識別番号（本来は「１」）が文字化けしているような場合である。
【０１０５】
欠損異常とは、読み取られた第１識別情報において一部の識別番号が欠けていることである。具体的には、正順の第１識別情報が８１７５４６７５０９であるのに対し、物品４０の識別マーク４４から読み取られた正順の第１識別情報が８１７５４６７５９であって、正順における９番目の識別番号が欠損しているような場合である。
【０１０６】
余剰異常とは、読み取られた第１識別情報に余剰な識別番号が混じっていることである。具体的には、正順の第１識別情報が８１７５４６７５０９であるのに対し、物品４０の識別マーク４４から読み取られた正順の第１識別情報が８１２７５４６７５０９であって、正順における３番目に余計な識別番号（ここでは「２」）が入っていて、この識別番号以降の識別番号が１つずつずれているような場合である。
【０１０７】
前述したように、物品４０の表面４０Ａだけに設けられた識別マーク４４からの第１識別情報の読み取りは、上下一対の読取センサ５２によって行われる。そのため、物品４０が本物である場合には、一対の読取センサ５２における一方は、識別マーク４４から第１識別情報を読み取れるが、他方は、識別マーク４４から何も情報を読み取れないはずである。ここで、汚れ等によって第１識別情報のうち識別番号の１つだけが正しく読み取れない物品４０は、実際には本物である。このような物品４０の場合には、一対の読取センサ５２における一方は、識別マーク４４から一部だけが不完全な第１識別情報を読み取り、他方は、識別マーク４４から何も情報を読み取れない。
【０１０８】
制御部１５は、一方の読取センサ５２から一部だけ不完全な第１識別情報が送られ、他方の読取センサ５２から何も情報が送られない場合に限り、今回の物品４０を、本物として救済できる可能性がある物品４０であると判断する。そして、制御部１５は、一部だけ不完全な第１識別情報に文字化け異常、欠損異常および余剰異常のいずれかの原因が生じていないか否かを確認し、この確認結果に基づいて当該物品４０の真偽を最終的に判別する。識別番号の１つだけが文字化けしている場合は、この第１識別情報が読み取られた物品４０は本物である可能性が高いので文字化け異常のチェックをＯＫとする。識別番号の１つだけが欠損している場合は、この識別番号が読み取られた物品４０は本物である可能性が高いので欠損異常のチェックをＯＫとする。余剰な識別番号が１つだけ存在している場合は、この識別番号が読み取られた物品４０は本物である可能性が高いので余剰異常のチェックをＯＫとする。つまり、汚れ等によって第１識別情報のうち識別番号の１つだけが正しく読み取れない物品４０については、偽物としてリジェクトとするのでなく、本物として救済する。
【０１０９】
具体的には、図１３のフローチャートに示すように、制御部１５は、第１識別情報が送られてくると、まず、物品４０の種類毎の正順の第１識別情報について文字化け異常をチェックする（ステップＳ３１）。２つ以上の識別番号が文字化けしていることによって文字化け異常チェックがＮＧであれば（ステップＳ３２でＮＯ）、制御部１５は、物品４０の種類毎の逆順の第１識別情報について文字化け異常をチェックする（ステップＳ３３）。
【０１１０】
逆順の第１識別情報でも文字化け異常チェックがＮＧであれば（ステップＳ３４でＮＯ）、制御部１５は、物品４０の種類毎の正順の第１識別情報について欠損異常をチェックする（ステップＳ３５）。２つ以上の識別番号が欠損していることによって欠損異常チェックがＮＧであれば（ステップＳ３６でＮＯ）、制御部１５は、物品４０の種類毎の逆順の第１識別情報について欠損異常をチェックする（ステップＳ３７）。逆順の第１識別情報でも欠損異常チェックがＮＧであれば（ステップＳ３８でＮＯ）、制御部１５は、物品４０の種類毎の正順の第１識別情報について余剰異常をチェックする（ステップＳ３９）。２つ以上の識別番号が余剰に存在することによって余剰異常チェックがＮＧであれば（ステップＳ４０でＮＯ）、制御部１５は、物品４０の種類毎の逆順の第１識別情報について余剰異常をチェックする（ステップＳ４１）。逆順の第１識別情報でも余剰異常チェックがＮＧであれば（ステップＳ４２でＮＯ）、制御部１５は、今回第１識別情報が読み取られた物品４０を偽物と判別して、上側収納エリア７９Ｂにリジェクトする（ステップＳ４３）。一方、文字化け異常、欠損異常および余剰異常のいずれかのチェックが早い段階でＯＫであれば（ステップＳ３２、Ｓ３４、Ｓ３６、Ｓ３８、Ｓ４０またはＳ４２でＹＥＳ）、制御部１５は、今回第１識別情報が読み取られた物品４０において異常があった識別番号を特定したうえで、この物品４０を本物と判別して、下側収納エリア７９Ａに回収する（ステップＳ４４）。
【０１１１】
次に、ステップＳ３１およびＳ３３での文字化け異常チェックの内容について、図１４のフローチャートを参照して説明する。まず、制御部１５は、変数ｉを１にリセットし、変数ｋを０（零）にリセットする（ステップＳ５１）。変数ｉは、第１識別情報における正順または逆順での識別番号の順番である。変数ｋは、物品４０から読み取られた第１識別情報において文字化けした識別番号の数である。なお、今回の文字化け異常チェックは、一対の読取センサ５２における一方だけが識別マーク４４から第１識別情報を読み取って、当該第１識別情報における一部が不完全であることが前提なので、文字化け異常チェックにおいて最終的に得られる変数ｋは、少なくとも０より大きい。このことは、後述する欠損異常チェックおよび余剰異常チェックでの変数ｋにおいても当てはまる。
【０１１２】
ステップＳ５１の直後では、変数ｉが１０を超えていないので（ステップＳ５２でＹＥＳ）、制御部１５は、物品４０から読み取られた第１識別情報（「読取第１識別情報」という）と、テーブル８５または８６に記憶された物品４０の種類毎の第１識別情報（「基準第１識別情報」という）とで、ｉ番目の識別番号同士が一致するか否かを確認する（ステップＳ５３）。具体的に、ステップＳ２１の直後では、制御部１５は、読取第１識別情報と基準第１識別情報とで１番目の識別番号同士が一致するか否かを確認する。ｉ番目の識別番号同士が一致すると（ステップＳ５３でＹＥＳ）、制御部１５は、変数ｉだけをインクリメント（＋１）する（ステップＳ５４）。そして、変数ｉが１０を超えるまでの間（ステップＳ５２でＹＥＳ）、制御部１５は、読取第１識別情報と基準第１識別情報とで同じ順番にある識別番号同士が一致するか否かを１番目から１０番目まで確認する（ステップＳ５３）。その際、読取第１識別情報と基準第１識別情報とで同じ順番なのに識別番号同士が一致しないことを確認すると（ステップＳ５３でＮＯ）、制御部１５は、その都度、変数ｋをインクリメント（＋１）する（ステップＳ５５）。
【０１１３】
そして、読取第１識別情報と基準第１識別情報とで１０番目の識別番号同士が一致するか否かを確認した場合には（ステップＳ５２でＮＯ）、制御部１５は、現時点の変数ｋの値を確認する（ステップＳ５６）。読取第１識別情報と基準第１識別情報とで１番目から１０番目までのいずれか１つの識別番号だけが一致しなかった場合には、変数ｋは１である。変数ｋが１である場合には（ステップＳ５６でＹＥＳ）、制御部１５は、文字化け異常のチェックがＯＫであると判断する（ステップＳ５７）。なお、変数ｋが１である場合には、読取第１識別情報の中で基準第１識別情報と一致しなかった１つの識別番号を正しい識別番号へと補正してもよい。一方、変数ｋが２以上である場合には（ステップＳ５６でＮＯ）、制御部１５は、文字化け異常のチェックがＮＧであると判断する（ステップＳ５８）。
【０１１４】
次に、ステップＳ３５およびＳ３７での欠損異常チェックの内容について、図１５のフローチャートを参照して説明する。まず、制御部１５は、変数ｉを１にリセットし、変数ｊおよびｋのそれぞれを０（零）にリセットする（ステップＳ６１）。変数ｉは、送られてきた第１識別情報における正順または逆順での識別番号の順番である。変数ｋは、欠損した識別番号の数である。
【０１１５】
ステップＳ６１の直後では、変数ｉが１０を超えていないので（ステップＳ６２でＹＥＳ）、制御部１５は、読取第１識別情報におけるｉ番目の識別番号が、基準第１識別情報におけるｉ＋ｊ番目の識別番号と一致するか否かを確認する（ステップＳ６３）。具体的に、ステップＳ６１の直後では、変数ｉが１で変数ｊが０なので、制御部１５は、読取第１識別情報と基準第１識別情報とで１番目の識別番号同士が一致するか否かを確認する。読取第１識別情報と基準第１識別情報とで同じ順番における識別番号同士が一致すると（ステップＳ６３でＹＥＳ）、制御部１５は、変数ｉだけをインクリメント（＋１）する（ステップＳ６４）。そして、変数ｊが０であれば、変数ｉが１０を超えるまでの間（ステップＳ６２でＹＥＳ）、制御部１５は、読取第１識別情報と基準第１識別情報とで同じ順番にある識別番号同士が一致するか否かを１番目から１０番目まで確認する（ステップＳ６３）。
【０１１６】
ただし、ステップＳ３３において、読取第１識別情報と基準第１識別情報とで識別番号同士が一致しないことを確認すると（ステップＳ６３でＮＯ）、制御部１５は、その都度、変数ｋをインクリメント（＋１）する（ステップＳ６５）。この場合、欠損異常により、読取第１識別情報における識別番号の順番が前へ１つずれている可能性がある。そこで、制御部１５は、現時点での変数ｉと現時点での変数ｊとの合計が１０を超えていないことを前提として（ステップＳ６６でＹＥＳ）、変数ｉおよびｊのそれぞれをインクリメント（＋１）する（ステップＳ６７）。
【０１１７】
すると、次のステップＳ６３では、読取第１識別情報における現時点でのｉ番目の識別番号が、基準第１識別情報におけるｉ＋ｊ番目（ここでのｊは１以上）の識別番号と一致するか否かが確認される。つまり、読取第１識別情報におけるｉ番目の識別番号と、基準第１識別情報においてｉ番目から現時点の変数ｊだけ後にずれた順番の識別番号との一致が確認される。そして、変数ｉが１０を超えるまでの間（ステップＳ６２でＹＥＳ）、制御部１５は、読取第１識別情報と基準第１識別情報とで識別番号同士が一致しない場合には（ステップＳ６３でＮＯ）、その都度、変数ｉ、ｊおよびｋのそれぞれをインクリメントする（ステップＳ６５およびＳ６７）。
【０１１８】
そして、変数ｉが１０に到達することによって読取第１識別情報における全ての識別番号と基準第１識別情報の識別番号との対比が完了した場合には（ステップＳ６２でＮＯ）、制御部１５は、現時点の変数ｋの値を確認する（ステップＳ６８）。なお、現時点での変数ｉと現時点での変数ｊとの合計が１０に到達している場合にも（ステップＳ６６でＮＯ）、読取第１識別情報における全ての識別番号と基準第１識別情報の識別番号との対比が完了しているので、制御部１５は、現時点の変数ｋの値を確認する（ステップＳ６８）。読取第１識別情報において１番目から１０番目までのいずれか１つの識別番号だけが欠けていた場合には、変数ｋは１である。変数ｋが１である場合には（ステップＳ６８でＹＥＳ）、制御部１５は、欠損異常チェックがＯＫであると判断する（ステップＳ６９）。この場合には、読取第１識別情報において、欠損していた１つの識別番号を追加することによって当該読取第１識別情報を補正してもよい。一方、変数ｋが２以上である場合には（ステップＳ６８でＮＯ）、制御部１５は、欠損異常チェックがＮＧであると判断する（ステップＳ７０）。
【０１１９】
次に、ステップＳ３９およびＳ４１での余剰異常チェックの内容について、図１６のフローチャートを参照して説明する。まず、制御部１５は、変数ｉを１にリセットし、変数ｊおよびｋのそれぞれを０（零）にリセットする（ステップＳ８１）。変数ｉは、第１識別情報における正順または逆順での識別番号の順番である。変数ｋは、余剰な識別番号の数である。
【０１２０】
ステップＳ８１の直後では、変数ｉが１０を超えていないので（ステップＳ８２でＹＥＳ）、制御部１５は、読取第１識別情報のｉ番目の識別番号が、基準第１識別情報におけるｉ−ｊ番目の識別番号と一致するか否かを確認する（ステップＳ８３）。具体的に、ステップＳ８１の直後では、変数ｉが１で変数ｊが０なので、制御部１５は、読取第１識別情報と基準第１識別情報とで１番目の識別番号同士が一致するか否かを確認する。識別番号同士が一致すると（ステップＳ８３でＹＥＳ）、制御部１５は、変数ｉだけをインクリメント（＋１）する（ステップＳ８４）。そして、変数ｊが０であれば、変数ｉが１０を超えるまでの間（ステップＳ８２でＹＥＳ）、制御部１５は、読取第１識別情報と基準第１識別情報とで同じ順番にある識別番号同士が一致するか否かを１番目から１０番目まで確認する（ステップＳ８３）。
【０１２１】
ただし、ステップＳ８３において、読取第１識別情報と基準第１識別情報とで識別番号同士が一致しないことを確認すると（ステップＳ８３でＮＯ）、制御部１５は、その都度、変数ｉ、ｊおよびｋのそれぞれをインクリメント（＋１）する（ステップＳ８５）。この場合、余剰異常により、読取第１識別情報における識別番号の順番が後へ１つずれている可能性がある。
【０１２２】
変数ｉ、ｊおよびｋのそれぞれをインクリメントした直後のステップＳ８３では、読取第１識別情報における現時点でのｉ番目の識別番号が、基準第１識別情報におけるｉ−ｊ番目（ここでのｊは１以上）の識別番号と一致するか否かが確認される。つまり、読取第１識別情報におけるｉ番目の識別番号と、基準第１識別情報においてｉ番目から現時点の変数ｊだけ前にずれた順番の識別番号との一致が確認される。そして、変数ｉが１０を超えるまでの間（ステップＳ８２でＹＥＳ）、制御部１５は、読取第１識別情報と基準第１識別情報とで識別番号同士が一致しない場合には（ステップＳ８３でＮＯ）、その都度、変数ｉ、ｊおよびｋのそれぞれをインクリメントする（ステップＳ８５）。
【０１２３】
そして、変数ｉが１０に到達することによって読取第１識別情報における全ての識別番号と基準第１識別情報の識別番号との対比が完了した場合には（ステップＳ８２でＮＯ）、制御部１５は、現時点の変数ｋの値を確認する（ステップＳ８６）。読取第１識別情報において余剰な識別番号が１つだけ存在する場合には、変数ｋは１である。変数ｋが１である場合には（ステップＳ８６でＹＥＳ）、制御部１５は、余剰異常チェックがＯＫであると判断する（ステップＳ８７）。この場合には、読取第１識別情報において、余剰な１つの識別番号を削除することによって当該読取第１識別情報を補正してもよい。一方、変数ｋが２以上である場合には（ステップＳ８６でＮＯ）、制御部１５は、余剰異常チェックがＮＧであると判断する（ステップＳ８８）。
【０１２４】
以上のように、制御部１５は、ステップＳ３１、Ｓ３３、Ｓ３５、Ｓ３７、Ｓ３９およびＳ４１により、それぞれの物品４０から第１識別情報を正しく読み取れない原因を特定する特定手段として機能する。そして、原因が特定された物品４０のうち、第１識別情報の一部だけが読み取れない物品４０であれば、制御部１５は、救済手段として、当該物品４０を本物として救済し、必要に応じて、当該物品４０における第１識別情報を補正して、補正後の第１識別情報を当該物品４０の本来の第１識別情報とみなす。なお、前述の説明では、変数ｋが１よりも大きければ、そのときの物品４０の異常チェックをＮＧとしているが、異常チェックをＮＧとする基準は、任意に変更できる。そのため、たとえば、変数ｋが１や２では、異常チェックをＯＫとし、変数ｋが３よりも大きければ、異常チェックをＮＧとしてもよい。
【０１２５】
この発明は、以上の実施形態の内容に限定されるものではなく、請求項に記載の範囲内において種々の変更が可能である。
【０１２６】
たとえば、この物品取扱装置１において、識別マーク４４のついた物品４０を繰り出して搬送し、振り分ける構成は、前述した物品読取装置以外の装置にも適用可能である。特に、以上で説明した読取部６は、今回の物品取扱装置１に限らず、ＩＣタグ４３や識別マーク４４が内蔵された媒体を識別する装置、たとえば、遊技施設で遊技客に物品４０を賞品として払い出す賞品払出機にも適用できる。具体的に、今回の物品取扱装置１に、収納部８から物品４０を払い出す機能を設ければ、物品取扱装置１は、賞品払出機になる。もちろん、この機能があってもなくても、物品取扱装置１は、たとえば遊技施設において物品４０を保管する物品保管機として用いることができる。
【０１２７】
図１７は、物品保管機とした場合における変形例に係る物品取扱装置１を含む物品取扱システム９０を示す模式図である。物品取扱システム９０は、通い箱９１と、変形例に係る物品取扱装置１Ａと、前述した管理センター８３と、管理装置８９とを含む。
【０１２８】
通い箱９１は、物品４０を問屋から遊技施設へ納入する際に物品４０を収納する箱である。通い箱９１には、最大でたとえば１００個の物品４０を収納できる。問屋では、遊技移設に納入する物品４０が、種類毎かつ所定枚数毎にまとまった状態で通い箱９１に収納される。所定枚数毎の物品４０は、カセット９２にまとめられた状態で通い箱９１に収納されてもよい。通い箱９１には、ＩＣチップ等で構成されたメモリ部９３が設けられている。物品４０が収納された状態の通い箱９１では、通い箱９１内の全ての物品４０についての前述した種類情報および個別情報が、物品４０毎の物品情報として、図１８に示すようにテーブル９４にまとめられてメモリ部９３に記憶されている。なお、テーブル９４には、通い箱９１自体を特定するためのＩＤが記憶されてもよい。
【０１２９】
物品取扱装置１Ａは、筐体９５を含む。筐体９５には、通い箱９１が上側からセットされるたとえば凹状のセット部９５Ａと、筐体９５内からリジェクトされる物品を保留するリジェクト部９５Ｂとが設けられている。筐体９５内には、種類毎の物品４０が配置される複数のレーン９６が区画されている。筐体９５内には、セット部９５Ａにセットされた通い箱９１のメモリ部９３に記憶されたデータを読み取り可能なリーダライタ９７と、通い箱９１から物品４０を繰り出してレーン９６やリジェクト部９５Ｂに振り分ける繰出振分機構９８と、前述した読取部６および制御部１５とが設けられている。繰出振分機構９８は、前述した搬送手段に相当する。
【０１３０】
管理装置８９は、遊技施設内における物品４０を管理する装置であり、ＬＡＮ（Local Area Network）等のネットワーク９９を介して、物品取扱装置１Ａと通信可能に接続されている。管理装置８９は、公衆回線１００等を介して遊技施設の外の管理センター８３と通信可能に接続されている。
【０１３１】
問屋では、通い箱９１に物品４０を収納する段階において、物品４０のチェックが行なわれるが、このチェックは、物品４０の厚みや色といった外観上についての簡易なチェックであり、有価物４２の偽造までは詳しくチェックすることは困難である。また、物品４０が、問屋から遊技施設に納入されて物品取扱装置１Ａに装填されるまでの間に、通い箱９１から引き抜かれて、偽物と差し替えられるような不正が想定されるので、問屋で通い箱９１に収納された物品４０と、この通い箱９１から物品取扱装置１Ａに受け渡された物品４０とが全て一致しているか否かをチェックする必要がある。
【０１３２】
そこで、物品取扱装置１Ａでは、物品４０が収納された状態の通い箱９１がセット部９５Ａに対して上側からセットされると、リーダライタ９７は、この通い箱９１のメモリ部９３に記憶されたテーブル９４の内容を読み取り、制御部１５に送る。これにより、制御部１５は、テーブル９４の内容、つまり、この通い箱９１に収納された全ての物品４０の種類情報および個別情報を取得する。その後、制御部１５は、繰出振分機構９８を駆動させ、繰出振分機構９８は、この通い箱９１から物品４０を繰り出す。物品４０は、１つずつ繰り出されてもよいし、カセット９２毎にまとまって繰り出されてもよい。物品４０の繰り出しの際、読取部６が、それぞれの物品４０から第１識別情報および第２識別情報を読み取って制御部１５に送る。
【０１３３】
制御部１５は、読取部６によってそれぞれの物品４０から読み取られた第１識別情報および第２識別情報から得られる種類情報および個別情報（つまり、前述した物品情報）を、テーブル９４の内容と照合する。テーブル９４の中に同一の物品情報があれば、制御部１５は、第１識別情報および第２識別情報が先程読み取られた物品４０を、問屋で通い箱９１に収納された正規の物品４０であると判別する。さらに、制御部１５は、第１識別情報および第２識別情報に基づいて当該物品４０の正偽も判別する。本物と判別された物品４０は、繰出振分機構９８によって、白抜き矢印で示すように、該当するレーン９６に振り分けられる。偽物と判別された物品４０は、黒抜き矢印で示すように、リジェクト部９５Ｂにリジェクトされ、係員によってリジェクト部９５Ｂから回収される。
【０１３４】
テーブル９４の中に同一の物品情報がなければ、制御部１５は、第１識別情報および第２識別情報が先程読み取られた物品４０を、納入途中で差し替えられた非正規の物品４０であると判別する。制御部１５は、非正規の物品４０についても真偽を判別してもよいが、大概の非正規品は偽物であると思われる。非正規の物品４０は、設定により、黒抜き矢印で示すように、リジェクト部９５Ｂや、筐体９５に設けられた払出口（図示せず）にリジェクトされる。これにより、問屋で通い箱９１に収納された時点の物品４０と、この通い箱９１から物品取扱装置１Ａに装填された時点の物品４０との整合性を確認できる。
【０１３５】
そして、通い箱９１内の全ての物品４０が繰り出されて振り分けられると、各物品４０がテーブル９４に登録されたものであるか否かについての情報と、各物品４０の真偽の判定結果とが、問屋から遊技施設への物品４０の納入情報として、管理装置８９や管理センター８３に通知されてもよい。納入情報には、正規および非正規のそれぞれの物品４０についての種類毎の総数等が含まれてもよい。
【０１３６】
このように、正規品とされる物品４０の中から偽物を見つけ出してリジェクトするだけでなく、通い箱９１内の正規品と差し替えられた非正規品もリジェクトできるので、物品４０に係るセキュリティの向上を図れる。ただし、同じ問屋において通い箱９１に収納された物品４０が別の通い箱９１に入れ替えられることが想定される。そのため、通い箱９１から物品取扱装置１Ａに収納される物品４０の物品情報が当該通い箱９１のテーブル９４の中に存在しなくても、当該物品４０が同じ問屋から納入されたものであれば、当該物品４０を正規品であると判定してもよい。
【０１３７】
また、前述した実施形態において物品４０を搬送する無端状の搬送体は、ベルト２２であったが、ベルト２２の代わりに、チェーンを用いることもできる。
【０１３８】
また、複数の収納エリア７９の並びは、上下方向でなく、前後方向であってもよい。また、物品４０を搬送する向きや集積する向きは、適宜変更してもよい。
【０１３９】
また、前述した実施形態では、読取部６が第１識別情報や第２識別情報を制御部１５に送信して、制御部１５がこれらの情報に基づいて物品４０の真偽および種類を判別するが、判別自体は読取部６によって実施されて、その判別結果が制御部１５に送信されてもよい。
【０１４０】
また、物品４０では、識別マーク４４と同様の構成の識別マークが、ＩＣタグ４３の代わりに収容体４１に設けられてもよい。この場合、有価物４２に設けられた識別マーク４４と、収容体４１に設けられた識別マークとで、筋状マーク４４Ａの配列パターン等を異ならせることによって、識別マーク４４から読み取られる第１読取情報と、収容体４１の識別マークから読み取られる第２読取情報とで、読み取るための形式を異ならせておくことが好ましい。
【符号の説明】
【０１４１】
１    物品取扱装置
１５  制御部
２２  ベルト
４０  物品
４１  収容体
４２  有価物
５２  読取センサ
５７  ＩＣリーダライタ
７６  ステージ
【図１】
2017099533.tif 000003
【図２】
2017099533.tif 000004
【図３】
2017099533.tif 000005
【図４】
2017099533.tif 000006
【図５】
2017099533.tif 000007
【図６】
2017099533.tif 000008
【図７】
2017099533.tif 000009
【図８】
2017099533.tif 000010
【図９】
2017099533.tif 000011
【図１０】
2017099533.tif 000012
【図１１】
2017099533.tif 000013
【図１２】
2017099533.tif 000014
【図１３】
2017099533.tif 000015
【図１４】
2017099533.tif 000016
【図１５】
2017099533.tif 000017
【図１６】
2017099533.tif 000018
【図１７】
2017099533.tif 000019
【図１８】
2017099533.tif 000020